(57)【要約】【課題】情報記録媒体上に記録マークを安定して形成し、多値データを正確に再生できるようにする。【解決手段】コントローラ９は、情報記録媒体１２に消去パワーのレーザパワーで線速度を変化させてレーザ光をＤＣ照射し、その反射光強度が最大反射光強度Ｒｃから２０％下がった転移線速度Ｖｔのとき、情報記録媒体１２上に記録線速度Ｖｗが０．３Ｖｔ＜Ｖｗ＜０．７Ｖｔを満たす値で多値データに応じた記録マークを記録セル単位で記録する。【選択図】      図１
2005025872.tif 000002
【特許請求の範囲】
【請求項１】
情報記録媒体に消去パワーのレーザパワーで線速度を変化させてレーザ光をＤＣ照射し、前記情報記録媒体からの反射光強度が最大反射光強度から２０％下がった転移線速度Ｖｔであるとき、前記情報記録媒体上に記録線速度Ｖｗが０．３Ｖｔ＜Ｖｗ＜０．７Ｖｔを満たす値で多値データに応じた記録マークを記録セル単位で記録することを特徴とする情報記録方法。
【請求項２】
請求項１記載の情報記録方法において、前記情報記録媒体は、前記転移線速度ＶｔがＶｔ＞６．０ｍ／ｓを満たす相変化型光ディスクであることを特徴とする情報記録方法。
【請求項３】
請求項１又は２記載の情報記録方法において、前記情報記録媒体の最大反射光強度Ｒｃと最小反射光強度Ｒａとが、（Ｒｃ−Ｒａ）／Ｒｃ＞０．５を満たすことを特徴とする情報記録方法。
【請求項４】
請求項１乃至３のいずれか一項に記載の情報記録方法において、前記情報記録媒体の反射率が１０％以上であることを特徴とする情報記録方法。
【請求項５】
請求項１乃至４のいずれか一項に記載の情報記録方法において、前記情報記録媒体への試し書きの際に、記録線速度を変化させてテストデータを記録し、各多値データにおける再生信号レベルの標準偏差の平均値が最小になる記録線速度を求めることを特徴とする情報記録方法。
【請求項６】
請求項１乃至５のいずれか一項に記載の情報記録方法において、前記情報記録媒体への多値データの記録が可能な最低記録線速度ＶＬと最高記録線速度ＶＨとが、ＶＨ／ＶＬ≧２．５を満たすことを特徴とする情報記録方法。
【請求項７】
情報記録媒体上にｍ（ｍは２以上の整数）値の多値データに応じた記録マークを記録セル単位に記録する情報記録方法であって、前記情報記録媒体からの反射光強度Ｒをバイアスパワー照射時間Ｔｏｆｆで制御し、ｍ値の多値データを記録するときのバイアスパワー照射時間Ｔｏｆｆ＿ｍ近傍での曲線の傾きαｍ＝ΔＲ（Ｔｏｆｆ＿ｍ）／ΔＴｏｆｆ＿ｍと、２〜４の実数βと、前記情報記録媒体の最大反射光強度Ｒｃと、前記情報記録媒体の最小反射光強度Ｒａと、前記情報記録媒体への記録セル長ＣＬ及び記録線速度Ｖｗとが、全てのｍ値の多値データに対してαｍ＞−β・（Ｒｃ−Ｒａ）／（ＣＬ／Ｖｗ）を満たすことを特徴とする情報記録方法。
【請求項８】
請求項７記載の情報記録方法において、前記傾きαｍを記録パワー照射時間Ｔｏｎで制御することを特徴とする情報記録方法。
【請求項９】
請求項７記載の情報記録方法において、前記傾きαｍを消去パワーと記録パワーとの比Ｐｅ／Ｐｗで制御することを特徴とする情報記録方法。
【請求項１０】
情報記録媒体上の記録セル内に複数個の記録マークを形成することによって多値データを記録することを特徴とする情報記録方法。
【発明の詳細な説明】
【０００１】
【発明の属する技術分野】
この発明は、書き換え可能型の光ディスク等の情報記録媒体へデータを記録する情報記録方法に係り、特に記録マーク面積を変調することによって多値データを光ディスク等の情報記録媒体上に記録する情報記録方法に関する。
【０００２】
【従来の技術】
光ディスクを高密度化するための技術として、より小さいピットや記録マークを光ディスクに形成する技術が提案されている。
しかし、記録再生装置の光源の波長、対物レンズのＮＡ（開口数）に限界があるため、形成できるピットおよび記録マークの大きさの限界は、自ずとそれらによって決まってしまう。
そこで、記録再生装置の光源，対物レンズのＮＡを変更することなく、さらに記録容量を増大するための技術として、従来の２値記録ではなく、３値以上の多値記録方式の光ディスク記録方法が開発されている。
【０００３】
ここで、情報記録媒体への多値データ記録方式について、図１０を用いて説明する。多値データに対応して再生信号レベルが変化するように、記録トラック上の一定の長さをもつ記録セル毎に多値データを記録する。
多値データの再生は、所定の周波数で再生信号をサンプリング（例えば記録セルの中心位置）し、サンプリングした信号レベルから多値データを判別する。
再生光のスポット径が、記録セルの円周方向の長さより長いために符号間干渉が生じる。
したがって、同じ多値データでもその信号レベルは、隣接セルに記録された多値データによって異なる。
【０００４】
しかし、多値記録方式では、符号間干渉によって多値レベルの判定を誤りやすいという欠点がある。
そこで従来の情報記録方法では、多値記録したデータを確実に再生するために試し書きを行い、所望の再生信号が得られるまで試し書きを行うと共に、次の（１）〜（５）の手順の処理で符号間干渉を考慮して記録補正を行うことにより、正確に多値データを判定できるようにしていた（例えば、特許文献１参照）。
（１）試験用データを記録再生する
（２）理想波形と再生信号波形との比較
（３）収束しているならば終了
（４）レーザ照射条件を補正する
（５）（１）へ戻る
【０００５】
【特許文献１】
特開平１０−１３４３５３号公報
【０００６】
【発明が解決しようとする課題】
しかしながら、多値データを正確に再生するためには、煩雑な工程を要する記録補正を行う以前に解決すべき問題があった。
その問題について、表４に示す８値記録の実験結果を使って説明する。
表４の実験結果は、波長４０５ｎｍ，対物レンズのＮＡ０．６５，記録線速度６．０ｍ／ｓ，記録パワーＰｗ８．４ｍＷ，消去パワー４．２ｍＷ，バイアスパワー０．１ｍＷ，記録セル長０．２４μｍで多値データ０から７の孤立マークを記録し、各多値データの再生信号レベルの平均値とσ／ＤＲを測定した結果である。
【０００７】
【表４】
2005025872.tif 000003
【０００８】
ここで、孤立マークとは、記録時において隣接マークを形成したときの熱干渉を受けない、かつ再生時に符号間干渉を受けないマークのことである（図１０参照）。
また、σは各多値データの再生信号レベルの標準偏差、ＤＲは多値データ０と多値データ７間の再生信号の振幅である。
表４から、熱干渉あるいは符号間干渉の影響がない場合においても、多値データ１〜３、すなわち小さい記録マーク（再生信号レベルが大きいほど記録マーク面積が小さい）の形成が不安定であることがわかる。
マーク形成が不安定な状態でいくら記録補正を行っても効果がないことは明らかである。
したがって、熱干渉，符号間干渉を考慮した記録補正を行う前に、まず小さい記録マークを安定して形成することが重要である。
【０００９】
また、再生信号レベルが変動する原因として、再生信号をＡ／Ｄ変換するときのサンプリングずれが考えられる。
記録マークが所望の大きさに形成されていたとしても、記録媒体の偏芯等によってサンプリング位置がずれると検出される信号レベルは異なるものになる。
そこで記録方法を工夫することによって、サンプリングずれの影響を受け難くする必要もある。
この発明は上記の課題を解決するためになされたものであり、情報記録媒体上に記録マークを安定して形成し、多値データを正確に再生できるようにすることを目的とする。
【００１０】
【課題を解決するための手段】
この発明は上記の目的を達成するため、次の（１）〜（１０）の情報記録方法を提供する。
（１）情報記録媒体に消去パワーのレーザパワーで線速度を変化させてレーザ光をＤＣ照射し、上記情報記録媒体からの反射光強度が最大反射光強度から２０％下がった転移線速度Ｖｔであるとき、上記情報記録媒体上に記録線速度Ｖｗが０．３Ｖｔ＜Ｖｗ＜０．７Ｖｔを満たす値で多値データに応じた記録マークを記録セル単位で記録する情報記録方法。
（２）（１）の情報記録方法において、上記情報記録媒体は、上記転移線速度ＶｔがＶｔ＞６．０ｍ／ｓを満たす相変化型光ディスクである情報記録方法。
【００１１】
（３）（１）又は（２）の情報記録方法において、上記情報記録媒体の最大反射光強度Ｒｃと最小反射光強度Ｒａとが、（Ｒｃ−Ｒａ）／Ｒｃ＞０．５を満たす情報記録方法。
（４）（１）乃至（３）のいずれかの情報記録方法において、上記情報記録媒体の反射率が１０％以上である情報記録方法。
（５）（１）乃至（４）のいずれかの情報記録方法において、上記情報記録媒体への試し書きの際に、記録線速度を変化させてテストデータを記録し、各多値データにおける再生信号レベルの標準偏差の平均値が最小になる記録線速度を求める情報記録方法。
（６）（１）乃至（５）のいずれかの情報記録方法において、上記情報記録媒体への多値データの記録が可能な最低記録線速度ＶＬと最高記録線速度ＶＨとが、ＶＨ／ＶＬ≧２．５を満たす情報記録方法。
【００１２】
（７）情報記録媒体上にｍ（ｍは２以上の整数）値の多値データに応じた記録マークを記録セル単位に記録する情報記録方法であって、上記情報記録媒体からの反射光強度Ｒをバイアスパワー照射時間Ｔｏｆｆで制御し、ｍ値の多値データを記録するときのバイアスパワー照射時間Ｔｏｆｆ＿ｍ近傍での曲線の傾きαｍ＝ΔＲ（Ｔｏｆｆ＿ｍ）／ΔＴｏｆｆ＿ｍと、２〜４の実数βと、上記情報記録媒体の最大反射光強度Ｒｃと、上記情報記録媒体の最小反射光強度Ｒａと、上記情報記録媒体への記録セル長ＣＬ及び記録線速度Ｖｗとが、全てのｍ値の多値データに対してαｍ＞−β・（Ｒｃ−Ｒａ）／（ＣＬ／Ｖｗ）を満たす情報記録方法。
【００１３】
（８）（７）の情報記録方法において、上記傾きαｍを記録パワー照射時間Ｔｏｎで制御する情報記録方法。
（９）（７）の情報記録方法において、上記傾きαｍを消去パワーと記録パワーとの比Ｐｅ／Ｐｗで制御する情報記録方法。
（１０）情報記録媒体上の記録セル内に複数個の記録マークを形成することによって多値データを記録する情報記録方法。
【００１４】
【発明の実施の形態】
以下、この発明の実施形態を図面に基づいて具体的に説明する。
図１は、この発明の情報記録方法を実行する一実施形態である情報記録再生装置の構成を示すブロック図である。
この情報記録再生装置は、ＤＶＤ＋ＲＷディスク等のデータ記録及び再生が可能な情報記録媒体（光ディスク）にデータを記録するＤＶＤ＋ＲＷドライブ等の光ディスクドライブであり、情報記録媒体１２を回転させるスピンドルモータ等のモータ１と、そのモータ１の回転を制御する回転制御系部４と、光ディスク１２にデータ記録及び再生のためのレーザ光Ｌを照射する光ピックアップ２を備えている。
【００１５】
また、その光ピックアップ２によるレーザ光Ｌの発光駆動等の制御を行う光ピックアップ制御系部６と、光ピックアップ２を光ディスク１２の半径方向に移動させる粗動モータ３と、その粗動モータ３の回転駆動制御を行う粗動モータ制御系部５と、光ピックアップ２からの再生信号と光ピックアップ２への記録信号の入出力を制御する信号処理系部７と、ＣＰＵ，ＲＯＭ及びＲＡＭ等からなるマイクロコンピュータによって実現され、図示を省略したＲＯＭやＲＡＭ等のメモリにこの発明に係るプログラムも含む各種のプログラムを記録し、そのプログラムの手順を実行することによってこの発明に係る機能を実現するコントローラ９を備えている。そのコントローラ９により、後述のこの発明に係る情報記録方法の処理を行う。
【００１６】
さらに、光ディスク１２に記録するデータ及び光ディスク１２から再生したデータ等のデータを一時的に格納すると共に、コントローラ９が各種の処理を実行する際にデータを一時的に記憶する領域として利用するキャッシュメモリ８と、外部に接続したホストコンピュータ１１とデータのやり取りをするための外部インタフェース１０も備えている。
ホストコンピュータ１１は、ＣＰＵ，ＲＯＭ及びＲＡＭ等からなるマイクロコンピュータによって実現され、この情報記録再生装置に対するデータの記録及びデータの再生を指示する。また、記録データの生成や情報記録再生装置から取得した再生データを利用する処理も行う。
【００１７】
〔構成１〕
ＣＤ−ＲＷディスク，ＣＤ＋ＲＷディスク，ＤＶＤ＋ＲＷディスク等の情報記録媒体１２に短い記録マークを形成するには、アモルファス状態から結晶状態へ短時間で変化する記録媒体であることが必要とされる。
そこで、情報記録媒体１２の転移線速度Ｖｔと多値データの記録線速度Ｖｗとの関係に着目して実験を行った結果、以下の関係式を満たすときに正確に多値データを再生できることがわかった。
関係式：０．３Ｖｔ＜Ｖｗ＜０．７Ｖｔ
【００１８】
次に、転移線速度の測定方法について説明する。
この転移線速度（ｍ／ｓｅｃ）とは、ＣＬＶ（Ｃｏｎｓｔａｎｔ  Ｌｉｎｅａｒ  Ｖｅｌｏｃｉｔｙ）で回転する相変化光ディスクに所定のレーザ光（例えば、波長７８０±１５ｎｍ，対物レンズのＮＡ＝０．５、１４ｍＷ）を照射したときに、相変化光ディスクの反射率が低下した場合の反射率対線速度の曲線の変曲点の値である。
図１に示した情報記録再生装置は、コントローラ９が以下の条件（１）と（２）で情報記録媒体１２に対する情報の記録及び再生を行うと共に、この発明に係る情報記録方法を実行する。
（１）記録・再生波長：４０５ｎｍ
（２）対物レンズＮＡ：０．６５
【００１９】
まず、コントローラ９は、線速度Ｖで情報記録媒体１２をＣＬＶ（線速度一定）駆動し、パワーＰｅのレーザ光を情報記録媒体１２にＤＣ（光強度一定）照射する。そのとき、情報記録媒体１２は予め初期化されているものとする。
次に、コントローラ９は情報記録媒体１２のレーザ光の照射部の反射光量を再生パワーで測定する。
このようにして、線速度Ｖを変化させて順次上記測定を行ったときの結果を図２に示す。ここで、反射光量の大きいほうの飽和点から２０％小さくなった（下がった）記録線速度を転移線速度Ｖｔと定義する。
【００２０】
〔実施例１〕
本実施例１では、情報記録媒体１２は、波長４０５ｎｍのレーザ光で記録が可能な相変化型光ディスクである。その基板は、直径１２０ｍｍ，厚さ０．６ｍｍのポリカーボネートからなり、基板表面上には射出成形によってグルーブが形成されている。グルーブは、幅約０．２２μｍ，深さ約２０ｎｍ，トラックピッチ０．４６μｍで記録面の内周から外周まで連続したスパイラルとして形成されている。その基板上に、誘電体膜，Ａｇ−Ｉｎ−Ｓｂ−Ｔｅからなる相変化記録膜，誘電体膜，反射膜を順次積層して相変化型光ディスクを作製した。
【００２１】
上記表４と同様の実験（波長４０５ｎｍ，対物レンズのＮＡ０．６５，記録線速度６．０ｍ／ｓ，記録パワーＰｗ８．４ｍＷ，消去パワーＰｅ４．２ｍＷ，バイアスパワーＰｂ０．１ｍＷ，記録セル長０．２４μｍで多値データ０から７の孤立マークを記録し、各多値データの再生信号レベルの平均値とσ／ＤＲを測定する）を、記録線速度３．０及び４．５ｍ／ｓで行った結果を表１に示す。
【００２２】
【表１】
2005025872.tif 000004
【００２３】
この情報記録媒体１２の転移線速度は、９．０ｍ／ｓである。
表１から、記録線速度６．０ｍ／ｓでは、多値データ１〜３のσ／ＤＲが大きく、多値データ４〜７のそれは小さかったのに対して、記録線速度を３．０ｍ／ｓに下げた場合では、この傾向が逆点している。
また、これらの中間の記録線速度４．５ｍ／ｓでは、多値データによるσ／ＤＲの差及び多値データ０から７の平均値が小さくなる。
表１の結果をグラフにしたものが図３である。
コントローラ９によるデータ記録時、最適記録線速度は、上の実験のように記録線速度を数水準設定し、それぞれの記録線速度でσ／ＤＲを測定し、多値データ間の差が最小になる記録線速度（図３中の矢印）を最適記録線速度として設定すればよい。
【００２４】
次に、転移線速度Ｖｔの異なる情報記録媒体を準備し、σ／ＤＲの記録線速度依存性について調べる。ここでは、記録データとして多値のランダムパターンを用いた。図４にその結果を示す。図４の横軸は記録線速度Ｖｗを転移線速度Ｖｔで規格化した値にしている。転移線速度が７．０〜１２．０ｍ／ｓの情報記録媒体では、０．３＜Ｖｗ／Ｖｔ＜０．７の範囲で、多値データを正確に再生できる目安σ／ＤＲ＜３．０％が得られる。
しかし、転移線速度が遅いＶｔ＝６．０ｍ／ｓでは、σ／ＤＲ＜３．０％が得られない。これはアモルファス相から結晶相への変化に時間がかかるために、小さい（短い）マークが形成できないと考えられる。
【００２５】
２値記録と比べて最短記録マーク長が短い多値記録方式では、転移線速度Ｖｔ＞６．０ｍ／ｓの情報記録媒体が必要となる。
また、図４に示すように、転移線速度Ｖｔが大きくなるとσ／ＤＲが最小となるＶｗ／Ｖｔが左側にシフトし、σ／ＤＲ＜３．０％となる記録線速度の範囲が広くなる。すなわち、転移線速度が速い情報記録媒体のほうが、記録線速の変動、あるいは記録レーザパワーの変動の影響を受け難いことを意味している。
さらに、記録線速度のマージンが大きいということは、ＣＬＶ（線速度一定）記録だけでなく、高速シークが可能なＣＡＶ（角速度一定）記録にも適応できるというメリットもある。
【００２６】
σ／ＤＲ＜３．０％が得られる最低記録線速度ＶＬと最高記録線速度ＶＨとがＶＨ／ＶＬ≧２．５であれば、直径１２０ｍｍの情報記録媒体の内周から外周まで記録できる。
多値データ記録方式に用いる情報記録媒体としては、記録線速度マージンが大きくとれる転移線速度Ｖｔが速い記録媒体のほうがより好ましい。
【００２７】
これまでは、σ／ＤＲのσを小さくすることで多値データを正確に再生できる記録方法について説明してきた。
さらに、σ／ＤＲを低減するために、ＤＲを大きくすることを検討する。
（ＲＣ−Ｒａ）／Ｒｃ，反射率が異なる情報記録媒体１２を準備し、それぞれのσ／ＤＲを測定した結果を表２，表３に示す。
表２，表３から、σ／ＤＲ＜３％を満足するには、（ＲＣ−Ｒａ）／Ｒｃ＞０．５、情報記録媒体１２の反射率は１０％以上が必要であることがわかる。
【００２８】
【表２】
2005025872.tif 000005
【００２９】
【表３】
2005025872.tif 000006
【００３０】
〔構成２〕
本発明に係る情報記録方法の処理では、コントローラ９が図５に示すレーザ照射パターンを用いて多値データを記録しており、記録マークの面積は、記録パワーＰｗ，消去パワーＰｅ，バイアスパワーＰｂのレーザ照射パワー及びそれぞれの照射パワーの照射時間（Ｐｗの照射時間Ｔｏｎ，バイアスパワーの照射時間Ｔｏｆｆ）によって制御している。バイアスパワー照射時間Ｔｏｆｆと反射光強度Ｒとの関係を図６に示す。
【００３１】
図６に示すように、反射光量が多い領域、すなわちマーク面積が小さい領域では曲線の傾きが大きいため、情報記録媒体１２のばらつき，レーザ発光時間の変動等の外乱によって反射光強度Ｒが大きく変化することが予想される。
そこで、この曲線の傾きを小さくして外乱による反射光強度Ｒの変動を抑えるようにする。その曲線の傾きを変化させるパラメータとしては、レーザ照射パワー，消去パワー，バイアスパワー等のレーザ照射パワー，パルス時間Ｔｏｎのレーザ照射時間，あるいはレーザ照射パワーとレーザ照射時間とを組合せても可能である。
【００３２】
〔実施例２〕
図６は、３水準（０ｎｓ，４．４ｎｓ，１５ｎｓ）のパルス時間Ｔｏｎについて反射光強度Ｒのバイアスパワー照射時間Ｔｏｆｆ依存性について調べた結果を示す図である。
パルス時間Ｔｏｎを短くしていくと、バイアスパワー照射時間Ｔｏｆｆ＝０〜１５ｎｓの範囲における曲線の傾きα＝ΔＲ（Ｔｏｆｆ）／ΔＴｏｆｆが小さくなる。
そこで、多値データ１におけるσ／ＤＲのα依存性について調べた。
記録データはランダムパタンで、多値データ１以外のデータはパルス時間Ｔｏｎ＝４．４ｎｓで記録した。
【００３３】
図７に示すように、傾きαによりσ／ＤＲは変化し、α＞−１０ｍＶ／ｎｓでσ／ＤＲが３．０％以下となる。
α＞−１０ｍＶ／ｎｓにすることにより、記録補正を行う際の調整マージンが広くなるので、より細かい信号レベルの調整が可能となる。
また、消去パワーＰｅと記録パワーＰｗとの比Ｐｅ／Ｐｗを変更することにより、傾きαを制御することが可能である。Ｐｅ／Ｐｗ比を大きくすることで傾きαを小さくすることができる。
ただし、消去パワーを大きくすると繰返し記録特性等に影響するので、情報記録媒体の特性に合わせて好適な方法を選択すればよい。
【００３４】
〔構成３〕
情報記録媒体１２の記録セル内に１個及び複数個の記録マークを形成したときの再生信号波形を図８に示す。
セル内に１個のマークを記録した場合では、その再生信号波形は鋭い（幅の狭い）ピークになり、サンプリング位置がずれると信号レベルは大きく変動することになる。一方、セル内に複数個（図８に示す例では２個）の記録マークを形成した場合、その再生信号はセル内にある個々のマークの再生信号を重ね合せた波形になる。
したがって、図８に示すように、再生信号波形先端に平らな部分できるので、サンプリング位置がずれても信号レベル変動は抑えることができる。
【００３５】
図９は、セル内に複数個の記録マークを形成する時のレーザ照射パターンを示す波形図である。このように、セル内に１個のマークを形成するときと同様に，再生信号レベルはそれぞれのＴｏｆｆで制御する。
また、記録セル内に複数個の記録マークを形成する記録方法は、記録マーク幅の広がりを抑えることができるので、クロストークあるいはクロスイレースによる信号レベルの変動を低減できるというメリットもある。
【００３６】
このようにして、この実施形態の情報記録再生装置は、記録線速度Ｖｗを０．３Ｖｔ＜Ｖｗ＜０．７Ｖｔとして記録するので、再生スポット径の１／２以下の記録マークでも安定して形成することができるため、多値データを正確に再生することができる。
また、転移線速度Ｖｔが６．０ｍ／ｓ以上の情報記録媒体を用いれば、再生スポット径の１／２以下の記録マークでも安定して形成することができるため、多値データを正確に再生することができる。
さらに、再生信号における振幅マージンが十分にとれるように（Ｒｃ−Ｒａ）／Ｒｃ＞０．５である情報記録媒体を用いるようにすれば、多値データを正確に再生することができる。
【００３７】
また、再生信号における振幅マージンが十分にとれるように反射率が１０％以上である情報記録媒体を用いれば、多値データを正確に再生することができる。
さらに、記録線速度を変化させてテストデータを記録し、その再生結果においてσ／ＤＲが最小になる記録線速度を求めてから実際のデータを記録するようにすれば、多値データを正確に再生することができる。
また、ＶＨ／ＶＬ≧２．５である情報記録媒体を用いれば、ＣＡＶ記録時においても多値データを正確に再生することができる。
【００３８】
さらに、傾きαｍを記録パワー照射時間で制御するようにすれば、容易に再生スポット径の１／２以下の記録マークでも安定して形成することができる。
また、傾きαｍをＰｅ／Ｐｗで制御するようにすれば、容易に再生スポット径の１／２以下の記録マークでも安定して形成することができる。
さらに、記録セル内に複数個のマークを形成し、クロックジッタの影響を小さくすれば、多値データを正確に再生することができる。
【００３９】
【発明の効果】
以上説明してきたように、この発明の情報記録方法によれば、情報記録媒体上に記録マークを安定して形成し、多値データを正確に再生することができる。
【図面の簡単な説明】
【図１】この発明の情報記録方法の処理を実行する一実施形態である情報記録再生装置の構成を示すブロック図である。
【図２】線速度Ｖを変化させて順次上記測定を行ったときの反射高強度の結果を示す線図である。
【図３】情報記録媒体に記録線速度３．０及び４．５ｍ／ｓで多値データ記録した結果を示す線図である。
【図４】転移線速度Ｖｔの異なる記録媒体に基づいてσ／ＤＲの記録線速度依存性について調べた結果を示す線図である。
【図５】この発明に係る情報記録方法で多値データを記録するときのレーザ照射パターンの一例を示す波形図である。
【図６】バイアスパワー照射時間Ｔｏｆｆと反射光強度との関係を示す線図である。
【図７】傾きαとσ／ＤＲの関係を示す線図である。
【図８】情報記録媒体の記録セル内に１個及び複数個の記録マークを形成したときの再生信号波形の一例を示す波形図である。
【図９】セル内に複数個の記録マークを形成する時のレーザ照射パターンを示す波形図である。
【図１０】情報記録媒体への多値データ記録方法の説明に供する図である。
【符号の説明】
１：モータ    ２：光ピックアップ
３：粗動モータ    ４：回転制御系部
５：粗動モータ制御系部    ６：光ピックアップ制御系部
７：信号処理系部    ８：キャッシュメモリ
９：コントローラ    １０：外部インタフェース
１１：ホストコンピュータ
【図１】
2005025872.tif 000007
【図２】
2005025872.tif 000008
【図３】
2005025872.tif 000009
【図４】
2005025872.tif 000010
【図５】
2005025872.tif 000011
【図６】
2005025872.tif 000012
【図７】
2005025872.tif 000013
【図８】
2005025872.tif 000014
【図９】
2005025872.tif 000015
【図１０】
2005025872.tif 000016